(57)【要約】【課題】室内機の上面吸込口の周辺の天井面、及び、壁面に塵埃が付着するのを抑制することができる空気調和機を提供することを課題とする。【解決手段】空気調和機１００は、室内の室内面Ｒ１に設けられる室内機７を備えている。室内機７は、室内機７の上面側に配置され室内の空気を吸い込む上面吸込口１１と、上面吸込口１１から吸い込んだ空気と熱交換する室内熱交換器８と、上面吸込口１１から吸い込んだ空気から塵埃を除去するフィルタ１４と、室内熱交換器８で熱交換された空気を室内に吹き出す吹出口１０と、上面吸込口１１から吹出口１０へ向かう風路１５上に設けられた室内送風ファン９と、吹出口１０から吹き出される空気の方向を偏向させる風向ルーバ１９と、上面吸込口１１の後方位置に配置された壁面カバー３０と、を有する。壁面カバー３０は、上面吸込口１１よりも上方で、上面吸込口１１の周辺の室内面Ｒ１を覆うように配置されている。【選択図】図２
2015206495.tif 000002
【特許請求の範囲】
【請求項１】
室内の壁面に設けられる室内機を備えた空気調和機であって、
前記室内機は、当該室内機の上面側に配置され室内の空気を吸い込む上面吸込口と、
前記上面吸込口から吸い込んだ空気と熱交換する室内熱交換器と、
前記上面吸込口から吸い込んだ空気から塵埃を除去するフィルタと、
前記室内熱交換器で熱交換された空気を室内に吹き出す吹出口と、
前記上面吸込口から前記吹出口へ向かう風路上に設けられた室内送風ファンと、
前記吹出口から吹き出される空気の方向を偏向させる風向ルーバと、
前記上面吸込口の後方位置に配置された壁面カバーと、を有し、
前記壁面カバーは、前記上面吸込口よりも上方で、当該上面吸込口の周辺の室内面を覆うように配置されることを特徴とする空気調和機。
【請求項２】
前記壁面カバーは、先端部の位置を上下方向、あるいは、前後方向に調節可能に配置されていることを特徴とする請求項１に記載の空気調和機。
【請求項３】
前記壁面カバーは、高さを調節可能であることを特徴とする請求項１または請求項２に記載の空気調和機。
【請求項４】
前記壁面カバーは、上端部に略水平、かつ、前記室内機の前方方向へ伸びる天井面カバー部を有し、
前記天井面カバー部は、前記上面吸込口の周辺の前記室内の天井面を覆うように配置されることを特徴とする請求項１乃至請求項３のいずれか一項に記載の空気調和機。
【請求項５】
前記天井面カバー部は、前記室内機の前後方向に伸縮可能であることを特徴とする請求項１乃至請求項４のいずれか一項に記載の空気調和機。
【請求項６】
前記天井面カバー部は、前記壁面カバーの基端側に配置されたカバー基体部に沿った形状に折り畳むことができるように設けられていることを特徴とする請求項４または請求項５に記載の空気調和機。
【請求項７】
前記壁面カバーは、前記室内機の内部、背面部、あるいは、上面部に収納可能に配置されていることを特徴とする請求項４乃至請求項６のいずれか一項に記載の空気調和機。
【請求項８】
前記壁面カバーは、前記室内機の運転状態に合わせＯＮ、ＯＦＦして前記壁面カバーの伸縮させる電動駆動装置を備えたことを特徴とする請求項４乃至請求項７のいずれか一項に記載の空気調和機。
【請求項９】
前記電動駆動装置は、前記室内機が運転中の場合に、前記壁面カバーを前記上面吸込口の後方から前記室内面に沿って上方向へ延出させて前記壁面カバーで前記上面吸込口の周辺の前記室内面を覆うように配置され、
前記室内機が運転停止中の場合に、前記延出した壁面カバーを短くして、前記天井面カバー部で前記上面吸込口を覆うように配置させることを特徴とする請求項４乃至請求項８のいずれか一項に記載の空気調和機。
【請求項１０】
前記壁面カバーは、表面が平滑に形成されていることを特徴とする請求項４乃至請求項９のいずれか一項に記載の空気調和機。
【請求項１１】
前記壁面カバーは、平滑な表面を有する金属製板部材、平滑な金属膜を有する板部材、平滑な表面を有する樹脂製板部材、あるいは、平滑な樹脂膜を有する板部材から成ることを特徴とする請求項４乃至請求項１０のいずれか一項に記載の空気調和機。
【請求項１２】
前記壁面カバーは、前記室内機に着脱可能に配置されていることを特徴とする請求項４乃至請求項１１のいずれか一項に記載の空気調和機。
【発明の詳細な説明】
【技術分野】
【０００１】
本発明は、壁掛式室内機（以下「室内機」という）を備えた空気調和機に関する。
【背景技術】
【０００２】
空気調和機は、ヒートポンプ式の冷凍サイクルを備え、冷房運転及び暖房運転が可能である。特に、室内の壁面に掛止される室内機を備えた空気調和機は、室内機の上面に形成された上面吸込口から吸い込んだ室内の空気が冷凍サイクル内の冷媒と熱交換されて、室内機の前面下方の吹出口から冷風または温風として吹き出す（例えば、特許文献１参照）。
【０００３】
室内機は、上面吸込口から室内の空気を室内機の内部に取り入れるため、天井面から５０ｍｍ程の隙間を空けて壁に取り付けた据付板に掛止されて据え付けられる。室内機は、一般に、特許文献１に記載されているように、前面に空気の流れを変える開閉パネルを配設し、運転モードによって開閉パネルの開閉状態を変化させている。冷房運転または暖房運転の際には、開閉パネルを開き、上面吸込口と斜めの前面吸込口を開放させる。室内機は、室外機の上面に設けられた上面吸込口と、前面の上部に斜めに設けられた前面吸込口から空気を吸込んで、熱交換器や集塵装置を通過させて吹出口から吹き出すことにより、多くの空気を熱交換させている。集塵運転のみを行う場合は、開閉パネルを閉じ、斜め前面吸込口を閉塞することによって、吸込口から吸込まれる空気の流れる方向を規制している。このようにすることにより、前面パネルを開放している場合に比べて、吸込口面積を縮小させて、集塵装置に空気の流れを集中させている。
【先行技術文献】
【特許文献】
【０００４】
【特許文献１】特開２００６−７８１２４号公報
【発明の概要】
【発明が解決しようとする課題】
【０００５】
しかし、従来の室内機においては、吸込む空気が、室内機に取り入れられる前に、室内機の上方の天井面及び壁面に沿って流れて、室内の塵埃を含んだ状態で上面吸込口まで流れる。そのため、室内機の上面吸込口周辺の天井面及び壁面には、塵埃が付着し易く、汚れるという問題点があった。
【０００６】
また、室内機は、室内の高い位置に据付けられ、室内機の上面と天井面との隙間が狭く、空気調和機の使用者による室内機の上方の天井面と壁面を清掃する作業が容易に行えないという問題点があった。
その場合、容易でない清掃作業や頻繁に行う清掃作業が、高所での清掃作業となるため、作業者が清掃作業を行い難いという問題点があった。
【０００７】
そこで、本発明は、室内機の上面吸込口の周辺の天井面、及び、壁面に塵埃が付着するのを抑制することができる空気調和機を提供することを課題とする。
【課題を解決するための手段】
【０００８】
前記課題を解決するために、本発明に係る空気調和機は、室内の室内面に設けられる室内機を備えた空気調和機であって、前記室内機は、当該室内機の上面側に配置され室内の空気を吸い込む上面吸込口と、前記上面吸込口から吸い込んだ空気と熱交換する室内熱交換器と、前記上面吸込口から吸い込んだ空気から塵埃を除去するフィルタと、前記室内熱交換器で熱交換された空気を室内に吹き出す吹出口と、前記上面吸込口から前記吹出口へ向かう風路上に設けられた室内送風ファンと、前記吹出口から吹き出される空気の方向を偏向させる風向ルーバと、前記上面吸込口の後方位置に配置された壁面カバーと、を有し、前記壁面カバーは、前記上面吸込口よりも上方で、当該上面吸込口の周辺の室内面を覆うように配置されることを特徴とする。
ここで、「室内面」とは、室内の壁面と天井面とを含めていう。
【０００９】
かかる構成によれば、空気調和機は、室内機の上面吸込口の後方位置に配置された壁面カバーが、上面吸込口よりも上方で、上面吸込口の周辺の室内面を覆うように配置されることにより、上面吸込口の周辺の天井面、及び、壁面に塵埃が付着するのを抑制することができる。
【発明の効果】
【００１０】
本発明によれば、壁掛式の室内機において、室内機の上面吸込口の周辺の壁面、及び、天井面に塵埃が付着するのを抑制することができる。
【図面の簡単な説明】
【００１１】
【図１】本発明の第１実施形態に係る空気調和機のサイクル構成図である。
【図２】本発明の第１実施形態に係る空気調和機の室内機の縦断面図である。
【図３】本発明の第１実施形態に係る空気調和機の壁面カバーを室内機の背面に収納したときの状態を示す縦断面図である。
【図４】本発明の第１実施形態に係る空気調和機の壁面カバーの斜視図である。
【図５】本発明の第２実施形態に係る空気調和機の壁面カバーの設置状態を示す室内機の縦断面図である。
【図６】本発明の第２実施形態に係る空気調和機の壁面カバーを折り畳んだときの状態を示す室内機の縦断面図である。
【図７】本発明の第２実施形態に係る空気調和機の壁面カバーを室内機の背面に収納したときの状態を示す縦断面図である。
【図８】本発明の第２実施形態に係る空気調和機の壁面カバーを上面吸込口の近接位置に配置したときの状態を示す室内機の縦断面図である。
【図９】本発明の第２実施形態に係る空気調和機の壁面カバーを示す斜視図である。
【図１０】本発明の第２実施形態に係る空気調和機の壁面カバーを示す要部拡大断面図である。
【図１１】壁面カバーの変形例を示す斜視図である。
【図１２】壁面カバーの変形例を示す要部拡大断面図である。
【発明を実施するための形態】
【００１２】
［第１実施形態］
まず、図１〜図４を参照しながら本発明の第１実施形態に係る空気調和機を説明する。
図１は、本第１実施形態に係る空気調和機の冷凍サイクルの構成を示す図である。
【００１３】
≪空気調和機≫
図１に示すように、空気調和機１００は、室外に配置される室外機１と、この室外機１に配管によって接続されて、室内の室内面Ｒ１（図２参照）に配置される室内機７と、から構成されている。室外機１は、図１に示す空気調和機１００の冷凍サイクルにおいて、圧縮機２と、四方弁３と、室外熱交換器４と、室外送風ファン５と、膨張弁６と、を備えている。室内機７は、空気調和機１００の冷凍サイクルにおける室内熱交換器８と、室内送風ファン９と、を備えている。
【００１４】
冷房運転時、圧縮機２から吐出された高温かつ高圧の冷媒は、四方弁３を介して室外熱交換器４に流入する。室外熱交換器４に流入した冷媒は、室外送風ファン５によって送られる室外の空気と熱交換することにより、凝縮されて液冷媒となる。液冷媒は、膨張弁６を通過することによって低温低圧の二相冷媒になり、室内熱交換器８に流入する。室内熱交換器８に流入した低温低圧の二相冷媒は、室内送風ファン９によって送られる室内の空気と熱交換される。このとき、室内熱交換器８に送られた室内の空気は、室内熱交換器８に流入した低温低圧の二相冷媒によって冷却され、図２に示す室内機７の吹出口１０から室内に吐出される。吹出口１０から室内に吐出される吹出空気Ａｉ１は、上面吸込口１１における吸込空気Ａｉ２の温度よりも低いため、室内の温度を下げることができる。室内熱交換器８で熱交換された冷媒は、四方弁３を介して再び圧縮機２に戻る（図１参照）。
【００１５】
≪室内機≫
図２に示すように、室内機７は、室内の壁面Ｒ２に設置される壁掛式の装置である。室内機７は、室内機７の上面側に配置された上面吸込口１１と、上面吸込口１１から吸い込んだ空気と熱交換する室内熱交換器８と、上面吸込口１１と室内熱交換器８との間に配置されたフィルタ１４と、上面吸込口１１より下方に配置された吹出口１０と、上面吸込口１１から吹出口１０へ向かう風路１５上に設けられた室内送風ファン９と、吹出口１０に配置された風向ルーバ１９と、上面吸込口１１の後方位置に配置された壁面カバー３０と、本体前面に設けられた化粧パネル１２と、化粧パネル１２の上側と下側に固定された化粧枠１３と、を主に備えている。
【００１６】
上面吸込口１１は、室内の空気を吸い込む吸込口であり、室内機７の本体の上部（化粧パネル１２の上方（上側））に配置されている。化粧パネル１２の裏側には、上面吸込口１１から吸い込んだ空気から塵埃を除去するフィルタ１４が配置されている。
【００１７】
フィルタ１４の下流側には、フィルタ１４によって塵埃が除去された空気と熱交換する逆Ｖ形状の室内熱交換器８が配置されている。吹出口１０は、その室内熱交換器８で熱交換された空気を、室内送風ファン９で勢い付けて室内の下方に向けて吹き出す吐出口である。
【００１８】
風向ルーバ１９は、吹出口１０から吹き出される空気の方向を偏向させる部材である。風向ルーバ１９は、吹出口１０の近傍の下流側風洞１８の上側に配置された上側上下風向ルーバ１９ａと、吹出口１０の近傍の下流側風洞１８の下側に配置された下側上下風向ルーバ１９ｂと、下側上下風向ルーバ１９ｂの下流側風洞１８の奥側に配置された左右風向ルーバ１９ｃと、を備えて構成されている。下側上下風向ルーバ１９ｂは、制御部（図示省略）によって、運転停止時に吹出口１０を閉じ、冷房運転時や暖房運転時に吹出口１０を開ける。左右風向ルーバ１９ｃは、制御部（図示省略）によって制御され、吹出空気Ａｉ１を左右方向に偏向させることができる。
【００１９】
据付板２０は、室内機７を室内の壁面Ｒ２に取り付けるための掛止部２０ａを有する金属製板材であり、室内面Ｒ１（壁面Ｒ２）にねじ等を用いて固定される。室内機７を室内の壁面Ｒ２に取り付けるときは、室内機７の背面のキャビネット１７を据付板２０に掛止させることによって、室内面Ｒ１(壁面Ｒ２)に固定されている。室内機７の据付けられる高さとしては、天井面Ｒ３から５０ｍｍ以上とするのが好ましい。据付けされる部屋の天井の高さによっては、天井面Ｒ３からの距離が５０ｍｍより近くてもよい。縦端面視して略Ｌ字状に形成された掛止部２０ａの平らな部位には、壁面カバー３０が挿通される壁面カバー挿通孔２０ｂが形成されている。壁面カバー挿通孔２０ｂは、水平方向に長いスリット形状の長孔から成る。
【００２０】
室内熱交換器８の下側には、室内熱交換器８で結露した水を受けるドレンパン１６が配置されている。キャビネット１７とドレンパン１６は、室内送風ファン９の下流側の風路１５を形成するための下流側風洞１８を構成している。キャビネット１７は、室内機７の筐体を形成する板部材であり、室内機７の背面寄りの位置に設けられている。キャビネット１７の背面部と、据付板２０との間には、後記する壁面カバー３０と、位置調整機構３６と、及び高さ調整機構３７を収納配置する収納空間２１が形成されている。下流側風洞１８の下端部には、前記吹出口１０が形成されている。
【００２１】
≪壁面カバー≫
図２に示すように、壁面カバー３０は、室内機７の背面の上方にある室内の壁面Ｒ２及び天井面Ｒ３に塵埃が付着するのを抑制するための部材である。壁面カバー３０は、室内機７内に上下動可能な状態に配置されるカバー基体部３１と、カバー基体部３１の先端側に配置された中間カバー部３２と、中間カバー部３２の先端側に配置された先端カバー部３３と、中間カバー部３２と先端カバー部３３の前後方向の位置を調整する位置調整機構３６と、壁面カバー３０の高さを調整する高さ調整機構３７と、を備えている。壁面カバー３０は、上面吸込口１１よりも上方で、上面吸込口１１の周辺の室内面Ｒ１を覆うように室内機７の上面吸込口１１の後方側に上下方向（矢印ａ，ｂ方向)に出没可能に配置されている（図２及び図３参照）。
【００２２】
図３に示すように、壁面カバー３０は、上面吸込口１１の壁面Ｒ２側から床面方向（上下方向）に向けて垂直に延びた形状に形成されて、縦断面視して壁面Ｒ２に沿って上下方向に延設されている。
また、壁面カバー３０は、塵埃が壁面Ｒ２に付着するのをより一層完全に抑えるために、室内機７の背面側の壁面Ｒ２との隙間を小さくすることが可能な位置調整機構３６を備えている。
また、壁面カバー３０は、室内機７と天井面Ｒ３との隙間の大きさに応じて、壁面カバー３０の高さ調整することができる後記する高さ調整機構３７を備えている。
【００２３】
図４に示すように、壁面カバー３０は、三枚の平板形状のカバー基体部３１、中間カバー部３２及び先端カバー部３３を、第１蝶番３４及び第２蝶番３５で回動自在に連結し、全体が水平方向に長く形成されている。壁面カバー３０の左右方向の長さは、例えば、室内機７の上面吸込口１１と略同じ長さに形成されている。
【００２４】
なお、壁面カバー３０は、表面が平滑な形状に形成されていることが好ましい。このように形成することによって、壁面カバー３０に空気中の塵挨、油分、煤煙等が付着するのを抑制して、壁面カバー３０を汚れ難くすることができる。なお、平滑な表面形状の構造体としては、樹脂、金属等がある。その他に、壁面カバー３０の表面に樹脂膜、または、金属膜を形成して平滑な表面にしてもよい。
【００２５】
図３及び図４に示すように、カバー基体部３１は、水平方向に長い矩形の平板材から成る。カバー基体部３１は、室内（室内機７）側の表面の左右端部寄りの位置に、上下方向に延設された高さ調整機構３７のラック３７ａが設けられている。カバー基体部３１の上端部の左右寄りの位置には、第１蝶番３４，３４の下側半体が設けられている。
【００２６】
図４に示すように、中間カバー部３２は、下端部の左右寄りの位置に、カバー基体部３１に固定された第１蝶番３４，３４の上側半体が固定されて、カバー基体部３１に対して回動自在に連結されている。中間カバー部３２は、左右方向の長さが、カバー基体部３１及び先端カバー部３３と同じ長さに形成されて、上下方向の長さが、カバー基体部３１及び先端カバー部３３の長さよりも短く形成されている。中間カバー部３２は、高さ調整機構３７によって壁面カバー３０が上昇及び下降した際に、据付板２０の壁面カバー挿通孔２０ｂに対して出没する位置に配置されている（図２及び図３参照）。
【００２７】
先端カバー部３３は、下端部の左右寄りの位置に、中間カバー部３２に固定された第２蝶番３５，３５の上側半体が固定されて、中間カバー部３２に対して回動自在に連結されている。先端カバー部３３は、上下方向の長さが、カバー基体部３１よりも短く、先端カバー部３３の長さよりも長く形成されている。先端カバー部３３は、高さ調整機構３７によって壁面カバー３０が上昇した際に、室内機７の上方の壁面Ｒ２全体を覆うように突出し、下降した際に、先端カバー部３３の下側半分が壁面カバー挿通孔２０ｂ内の収納空間２１側に引き込まれる（図２及び図３参照）。
【００２８】
図４に示すように、前記第１蝶番３４は、カバー基体部３１と中間カバー部３２との間に設けられたヒンジ部材であり、ねじ止め手段、あるいは、溶着手段等によってカバー基体部３１及び中間カバー部３２に固定されている。
第２蝶番３５は、中間カバー部３２と先端カバー部３３との間に設けられたヒンジ部材であり、前記第１蝶番３４と同一手段で固定されている。
なお、第１蝶番３４及び第２蝶番３５は、上下方向の中央部に水平方向に配置された軸部３４ａ，３５ａを中心として折り曲げることが可能な状態にカバー基体部３１と中間カバー部３２とを連結できるものであれば、その形状及び取付手段は特に限定されない。
【００２９】
＜位置調整機構＞
位置調整機構３６は、前記第１蝶番３４及び第２蝶番３５の回動によって中間カバー部３２と先端カバー部３３とを前後方向に折り曲げ自在にさせて、先端カバー部３３の位置を壁面Ｒ２側、及び壁面Ｒ２から離間する側（前後方向）へ調整可能にしている。位置調整機構３６は、軸部３４ａ，３５ａを関節のように曲げることにより、壁面Ｒ２の近傍まで壁面カバー３０の前後位置を近づけることができる。
【００３０】
＜高さ調整機構＞
高さ調整機構３７は、壁面カバー３０の先端部の高さを調節するための調整機構である。高さ調整機構３７は、前記カバー基体部３１に設けられたラック３７ａと、室内機７のキャビネット１７に支持部材（図示省略）によって回動自在に軸支されてラック３７ａに噛合するピニオン３７ｂと、から成るラックピニオン機構によって主に構成されている。図２に示すように、高さ調整機構３７は、壁面カバー３０を手で持って引き出せば、ピニオン３７ｂが回転して、ラック３７ａがある壁面カバー３０が上方向に移動して、先端カバー部３３の高さ位置を上昇させることができる。壁面カバー３０は、下方向に押し込めば、図３に示すように、室内機７内の背面部にある収納空間２１内に収納させて、先端カバー部３３の高さ位置を下降させることができる。
【００３１】
なお、高さ調整機構３７は、前記ラックピニオン機構の配置とは逆に、キャビネット１７の背面にピニオン３７ｂのような歯車を配置し、壁面カバー３０にラック３７ａのような凹凸構造の歯車を配設した歯車機構によっても、実現することが可能である。
また、高さ調整機構３７については、壁面カバー３０を先端方向に対して配置した二つに板部材を摺動自在に配置した二枚構造としたスライド機構としてもよい。
【００３２】
≪作用≫
次に、図２及び図３を主に参照しながら本発明の実施形態に係る空気調和機１００の作用を説明する。
例えば、図３に示すように、壁面カバー３０を使用しない場合は、壁面カバー３０を手で押し込んで、壁面カバー３０を室内機７内の収納空間２１内に没入させておく。
【００３３】
図２に示すように、壁面カバー３０を使用する場合、先端カバー部３３を手で掴んで壁面カバー３０を収納空間２１から引き出して、先端カバー部３３で壁面Ｒ２を覆うように配置させる。先端カバー部３３は、位置調整機構３６の第１蝶番３４、または、第２蝶番３５を中心として中間カバー部３２、または、先端カバー部３３を回動させることによって、壁面Ｒ２とに対する先端カバー部３３の前後方向の位置を調整することができる。このため、先端カバー部３３は、壁面Ｒ２に当接した状態に配置したり、壁面Ｒ２から離間した状態に配置したりすることができる。
【００３４】
図２及び図３に示すように、壁面Ｒ２が塵挨等によって汚れると思われる場合は、壁面カバー３０を引き出すことによって、壁面Ｒ２が汚れるのを抑制することができる。そして、壁面カバー３０を使用することが不要な場合は、壁面カバー３０を収納空間２１側に押し込んで収納させておく。
【００３５】
板状の壁面カバー３０は、室内機７の背面側内部に設けた収納空間２１に収納可能な構造となっていることによって、室内機７に設けても、室内機７をコンパクトに維持することができる。
【００３６】
［第２実施形態］
次に、図５〜図１０に基づいて本発明の第２実施形態に係る空気調和機を説明する。なお、前記第１実施形態で説明したものと同一なものは、同一符号を付してその説明は省略する。
【００３７】
第２実施形態が、第１実施形態と相違する点は、図５に示す壁面カバー４０が、前記第１実施形態の壁面カバー３０（図２参照）と同一の背壁面カバー部４０Ａの上側先端に、室内機７の前方略水平に伸びた形状、つまり、天井面Ｒ３に沿った形状の天井面カバー部４０Ｂを有する点である。
【００３８】
第１実施形態では、室内機７と天井面Ｒ３との間の壁面Ｒ２にのみ、壁面カバー３０（図２参照）によって塵埃の付着を抑制した。第２実施形態の壁面カバー４０では、壁面カバー４０と同一の背壁面カバー部４０Ａの先端側に天井面カバー部４０Ｂを設けて、天井面カバー部４０Ｂで天井面Ｒ３もカバーすることによって、室内機７と天井面Ｒ３との間を塵挨を含む空気が流れることで、塵埃が天井面Ｒ３に付着するのを抑制することができる。
【００３９】
また、第１実施形態の壁面カバー３０と同様に、壁面カバー４０は、前後方向の位置を調節する位置調整機構４６と、高さ調整機構４７を備えている。このため、壁面カバー４０は、先端部の位置を上下方向、及び、前後方向に調節することができる。
【００４０】
また、背壁面カバー部４０Ａと天井面カバー部４０Ｂは、例えば、平滑な表面形状に形成された樹脂製の板部材から成る。また、また、壁面カバー４０は、平滑な表面を有する金属製板部材、平滑な金属膜、あるいは、平滑な樹脂膜を有する板部材から形成してもよい。
【００４１】
これにより、壁面カバー４０は、第１実施形態と同様、背壁面カバー部４０Ａ及び天井面カバー部４０Ｂに塵埃が付着するのを抑制して汚れ難くすることができる。また、壁面カバー４０は、平滑な表面によって通風抵抗が小さくなるため、室内機７が吸込む吸込空気Ａｉ２の量が多くして、熱交換できる空気の量が多くすることができる。これにより、空気調和機１００の行う冷房及び暖房の効果を大きくすることができる。
【００４２】
図９に示すように、壁面カバー４０の背壁面カバー部４０Ａは、カバー基体部４１と、中間カバー部４２と、先端カバー部４３とから成る板部材によって構成されている。天井面カバー部４０Ｂは、先端カバー部４３に蝶番４４ｃを介在して回動可能に連結した連結カバー部４０Ｂ１と、連結カバー部４０Ｂ１に設けられた摺動ピン４０Ｂａに連結される長孔４０Ｂ２ｂを有する第１スライドカバー部４０Ｂ２と、第１スライドカバー部４０Ｂ２に設けられた摺動ピン４０Ｂ２ａに連結された長孔４０Ｂ３ｂを有する第２スライドカバー部４０Ｂ３と、を背壁面カバー部４０Ａの先端側に伸縮自在に連結している。
【００４３】
このように連結された複数の板部材から成る壁面カバー４０は、図５に示すように、背壁面カバー部４０Ａを上方向に延ばすと共に、天井面カバー部４０Ｂを前方向に延ばしてＬ字状に曲げた状態で使用すれば、室内機７の上方の壁面Ｒ２及び天井面Ｒ３に塵挨が付着するのを防止することができる。
【００４４】
また、壁面カバー４０は、図８に示すように、Ｌ字状に曲げた背壁面カバー部４０Ａ及び天井面カバー部４０Ｂをそのままの状態で下降させれば、室内機７の上面に開放状態になっている上面吸込口１１を閉塞して覆うことによって、塵挨が上面吸込口１１内に侵入するのを抑制することができる。
【００４５】
≪長さ調整機構≫
図９に示すように、壁面カバー４０は、さらに、天井面カバー部４０Ｂの長さを調整する長さ調整機構４８を備えて、天井面カバー部４０Ｂの前後方向の長さを伸縮自在にして調節可能にしている。例えば、長さ調整機構４８は、天井面カバー部４０Ｂを複数枚の摺動自在な板材から成るスライド機構を利用することによって、伸縮自在にして、壁面カバー４０の長さを適宜な長さに可変させることができる。
【００４６】
図９及び図１０に示すように、長さ調整機構４８は、例えば、天井面カバー部４０Ｂの連結カバー部４０Ｂ１に設けられた摺動ピン４０Ｂａと、この摺動ピン４０Ｂ１ａが摺動する第１スライドカバー部４０Ｂ２の長孔４０Ｂ２ｂと、この第１スライドカバー部４０Ｂ２に設けられた摺動ピン４０Ｂ２ａと、摺動ピン４０Ｂ２ａが摺動する第２スライドカバー部４０Ｂ３の長孔４０Ｂ３ｂと、を備えて構成されている。
【００４７】
長さ調整機構４８は、このように構成したことにより、第１スライドカバー部４０Ｂ２が連結カバー部４０Ｂ１に対して長孔４０Ｂ２ｂの長さ分だけ摺動可能になると共に、第２スライドカバー部４０Ｂ３が第１スライドカバー部４０Ｂ２に対して長孔４０Ｂ３ｂの長さ分だけ摺動可能となる。
このため、天井面カバー部４０Ｂ全体を引き出した状態にすれば、図５及び図８に示すように室内機７の上方に壁面カバー４０の先端側部位を配置することが可能となる。
【００４８】
＜位置調整機構＞
位置調整機構４６は、第１蝶番４４ａ、第２蝶番４４ｂ及び第３蝶番４４ｃと、第１蝶番４４ａ、第２蝶番４４ｂ及び第３蝶番４４ｃによって前後方向に回動自在（折り曲げ自在）に連結された中間カバー部４２、先端カバー部４３及び連結カバー部４０Ｂ１と、を備えて構成されている。位置調整機構４６は、第１蝶番４４ａ、第２蝶番４４ｂ及び第３蝶番４４ｃを中心として中間カバー部４２、先端カバー部４３及び連結カバー部４０Ｂ１を回動させることによって、中間カバー部４２、先端カバー部４３及び連結カバー部４０Ｂ１の位置を前後方向に微調整することができると共に、折り畳むこともできるようになっている。
【００４９】
例えば、天井面カバー部４０Ｂは、図６に示すように、第２スライドカバー部４０Ｂ３及び第１スライドカバー部４０Ｂ２を連結カバー部４０Ｂ１側に移動させて、蝶番４４ｃを回動させれば、背壁面カバー部４０Ａに沿った形状に折り畳むことができる。図７に示すように、この折り畳んだ状態の天井面カバー部４０Ｂを下方向に押し込めば、室内機７の収納空間２１に没入させて収納させることもできる。
【００５０】
≪変形例≫
なお、本発明は、前記実施形態に限定されるものではなく、その技術的思想の範囲内で種々の改造及び変更が可能であり、本発明はこれら改造及び変更された発明にも及ぶことは勿論である。また、本発明は、前記第１及び第２実施形態の個々のものに限定されることはなく、また、上述した第１及び第２実施形態のものを適宜組み合わせてもよい。
図１１は、壁面カバーの変形例を示す斜視図である。図１２は、壁面カバーの変形例を示す拡大縦断面図である。
【００５１】
例えば、第１実施形態で説明した図２に示す壁面カバー３０の位置調整を行う位置調整機構３６、及び高さ調整を行う高さ調整機構３７は、手動でもよいし、図１１に示すように、電動モータ５９ａ及び減速歯車機構５９ｃを備えた電動駆動装置５９を配置して、リモコン操作によって電動で調整を行うようにしてもよい。
【００５２】
その場合、壁面カバー５０は、室内機７の運転状態に合わせＯＮ、ＯＦＦして壁面カバー５０の伸縮させる電動駆動装置５９を駆動させてもよい。また、電動駆動装置５９は、室内機７が運転中の場合、壁面カバー５０を上面吸込口１１（図２参照）の後方から室内面Ｒ１（壁面Ｒ２）に沿って上方向へ延出させて、壁面カバー５０で上面吸込口１１の周辺の室内面Ｒ１を覆うように配置する。また、室内機７が運転停止中の場合は、延出した壁面カバー５０を短くして、天井面カバー部５０Ｂで上面吸込口１１を覆うように配置させる。
このようにすれば、室内機７の内部に塵埃が侵入するのを効率よく防止することができる。
【００５３】
また、図９及び図１０に示す第２実施形態の長さ調整機構４８は、連結カバー部４０Ｂ１及び第１スライドカバー部４０Ｂ２の摺動ピン４０Ｂａ，４０Ｂ２ａと、第１スライドカバー部４０Ｂ２及び第２スライドカバー部４０Ｂ３の長孔４０Ｂ２ｂ，４０Ｂ３ｂと、によって壁面カバー４０を収縮するようにしたが、図１１及び図１２に示す壁面カバー５０の長さ調整機構５８のようにしてもよい。
【００５４】
例えば、長さ調整機構５８は、図１１及び図１２に示すように、天井面カバー部５０Ｂの連結カバー部５０Ｂ１の両端部に形成されたガイド片５０Ｂ１ａ及び係止片５０Ｂ１ｂと、第１スライドカバー部５０Ｂ２の両端部に形成されたガイド片５０Ｂ２ａ、係止片５０Ｂ２ｂ及びストッパ５０Ｂ２ｃと、第２スライドカバー部５０Ｂ３の下端部に形成されたストッパ５０Ｂ３ｃと、を備えて構成されている。
【００５５】
第２スライドカバー部５０Ｂ３は、両端部が、横断面視してコ字状のガイド片５０Ｂ２ａ内に摺動自在に配置されて、第２スライドカバー部５０Ｂ３を引き出したときに、ストッパ５０Ｂ３ｃが係止片５０Ｂ２ｂに係止されるように設けられている。
第１スライドカバー部５０Ｂ２は、両端部の断面視してコ字状のガイド片５０Ｂ２ａが、連結カバー部５０Ｂ１の横断面視してコ字状のガイド片５０Ｂ１ａ内に摺動自在に挿入されて、第１スライドカバー部５０Ｂ２を引き出したときに、ストッパ５０Ｂ２ｃが係止片５０Ｂ１ｂに係止されるように設けられている。
連結カバー部５０Ｂ１は、基端側が、蝶番５４ｃによって先端カバー５３に回動可能に連結されている。
【００５６】
長さ調整機構５８の基端側には、第１蝶番５４ａ、第２蝶番５４ｂ、及び第３蝶番５４ｃと、第１蝶番５４ａ、第２蝶番５４ｂ及び第３蝶番５４ｃによって前後方向に回動自在（折り曲げ自在）に連結された中間カバー部５２、先端カバー部５３及び連結カバー部５０Ｂ１と、備えて構成された位置調整機構５６が設けられている。このため、中間カバー部５２、先端カバー部５３及び連結カバー部５０Ｂ１は、前記第２実施形態と同様に、連結部位の連結角度を変えることにより、前後方向に位置を調整したり、折り畳んだりすることができる。
【００５７】
長さ調整機構５８は、このように構成しても、第１スライドカバー部５０Ｂ２及び第２スライドカバー部５０Ｂ３を連結カバー部５０Ｂ１に対して摺動して伸縮するように組み付けることができる。
【００５８】
≪その他の変形例≫
例えば、前記第１実施形態及び第２実施形態で説明した壁面カバー３０，４０は、室内機７に対して着脱自在に設けてもよい。壁面カバー３０，４０は、室内機７に取り付け、取り外し可能とすることにより、使用者が空気調和機１００を使用する際に、壁面カバー３０を必要と感じた場合にのみ、壁面カバー３０，４０だけ配置して使用する。そして、長期に亘って室内機７を使用しないときや、塵挨が少なくて壁面カバー３０，４０が不要なときは、壁面カバー３０，４０を取り外して室内機７を使用するようにしてもよい。
【００５９】
このように壁面カバー３０は、取り外し可能とすることによって、壁面カバー３０が塵埃により汚れた場合、壁面カバー３０を取り外して、清掃作業を行い易い場所で清掃することができる。壁面カバー３０の清掃は、高所での作業が不要となるので、使用者に生じる危険を減少させることができる。
【００６０】
また、室内機７と天井面Ｒ３との隙間は、一般的に５０ｍｍ以上ではあるものの、比較的狭い傾向があるので、壁面カバー３０が室内機７に取り付けた状態での清掃作業が行い難いことが予想される。壁面カバー３０は、取り外し可能とすることにより、そのような問題点を解消して清掃作業を行い易くすることができる。
【００６１】
また、前記実施形態では、図３に示すように、壁面カバー３０，４０を収納する収納空間２１を室内機７の背面に設けた場合を説明したが、収納場所は、図８に示すように、室内機７の上面側であってもよい。
【００６２】
壁面カバー４０を室内機７の上面側に収納可能とする場合は、図５に示すように、冷房及び暖房運転時に、天井面Ｒ３に近接した位置に天井面カバー部４０Ｂを配置する。運転停止時は、図８に示すように、室内機７の上面吸込口１１に近接した位置に天井面カバー部４０Ｂを配置してもよい。
【００６３】
これにより、冷房及び暖房運転時は、室内機７の吸込空気Ａｉ２に含まれる塵埃による室内面Ｒ１及び天井面Ｒ３に汚れが付着するのを抑制することができる。運転停止時は、室内機７の上面吸込口１１から内部への塵埃の侵入を抑制できる。天井面カバー部４０Ｂの天井近接位置と上面吸込口１１の近接位置との切り替えは、手動で行ってもよいし、運転状態により自動で切り替えるようにしてもよい。
【００６４】
また、壁面カバー４０は、天井面カバー部４０Ｂの根元にある蝶番４０ｃの軸と軸受部位に小型の電動モータと、歯車等からなる駆動機構を配置することにより、リモコン操作によって制御部を介して電動で折り畳み可能にすることもできる。
【符号の説明】
【００６５】
１      室外機
２      圧縮機
３      四方弁
４      室外熱交換器
５      室外送風ファン
６      膨張弁
７      室内機
８      室内熱交換器
９      室内送風ファン
１０    吹出口
１１    上面吸込口
１４    フィルタ
１５    風路
１９    風向ルーバ
３０，４０，５０  壁面カバー
４０Ｂ，５０Ｂ  天井面カバー部
４１，５１  カバー基体部
５９      電動駆動装置
１００  空気調和機
Ｒ１    室内面
Ｒ２    壁面
Ｒ３    天井面
【図１】
2015206495.tif 000003
【図２】
2015206495.tif 000004
【図３】
2015206495.tif 000005
【図４】
2015206495.tif 000006
【図５】
2015206495.tif 000007
【図６】
2015206495.tif 000008
【図７】
2015206495.tif 000009
【図８】
2015206495.tif 000010
【図９】
2015206495.tif 000011
【図１０】
2015206495.tif 000012
【図１１】
2015206495.tif 000013
【図１２】
2015206495.tif 000014